(57)【要約】【課題】室外機を大型化せずとも、室内機との配管及び配線の接続作業を容易に行うことのできるマルチタイプの空気調和機の室外機を提供する。【解決手段】室内機からの配線を接続する端子台１５と、室内機との間で冷媒を循環させる配管２を接続する複数の配管接続口８ａと、複数の配管接続口８ａを支持する取付アングル７とを備えた、空気調和機の室外機１であって、端子台１５は、筐体４の側面パネル４ｂに設けられた配線接続開口１６より露出するようにして筐体４内に設けられ、取付アングル７は、端子台１５よりも下方であって、筐体４の側面パネル４ｂから側方に突出するようにして設けられ、複数の配管接続口８ｂを縦方向に並列して支持すると共に、配管接続口８ｂよりも内側に、配線３を前後方向に挿通可能な配線挿通部１４が形成されたことを特徴とする空気調和機の室外機１である。【選択図】図１
2011117641.tif 000002
【特許請求の範囲】
【請求項１】
筐体内に設けられた電気部品と電気的に接続すると共に、室内機からの配線を接続する端子台と、室内機との間で冷媒を循環させる配管を接続する複数の配管接続口と、複数の前記配管接続口を支持する取付アングルとを備えた、複数の室内機と連結可能な空気調和機の室外機であって、
前記端子台は、前記筐体の側面パネルに設けられた配線接続開口より露出するようにして筐体内に設けられ、
前記取付アングルは、前記端子台よりも下方であって、前記筐体の側面パネルから側方に突出するようにして設けられ、複数の前記配管接続口を縦方向に並列して支持すると共に、前記配管接続口よりも内側に、配線を前後方向に挿通可能な配線挿通部が形成されたことを特徴とする空気調和機の室外機。
【請求項２】
前記配線挿通部は、前記取付アングルの内側上端を切欠いて形成されたことを特徴とする請求項１に記載の空気調和機の室外機。
【請求項３】
前記配線挿通部の下端は、前記取付アングルの最上段の配管接続口よりも下方に位置することを特徴とする請求項２に記載の空気調和機の室外機。
【請求項４】
前記配線接続開口と前記取付アングルとの間に、配線を筐体の側面パネルに固定するための複数の配線固定具を備え、該配線固定具は前記筐体の側面パネルに前後方向に並べて設けられ、
最前の前記配線固定具と前記取付アングルとの間の距離をＡとし、前記配線固定具と前記配線挿通部の下端との間の距離をＢとすると、
Ａ／２≦Ｂ
の関係式が成り立つことを特徴とする請求項２又は３に記載の空気調和機の室外機。
【発明の詳細な説明】
【技術分野】
【０００１】
本発明は、一台の室外機で複数の室内機と接続可能なマルチタイプの空気調和機の室外機に関する。
【背景技術】
【０００２】
室内機と室外機とが分離したセパレート型の空気調和機では、室内機側の室内熱交換器と、室外機側の圧縮機、四方弁、室外熱交換器および膨張弁とが冷媒配管により接続されて冷凍サイクルを構成している。さらに、室内機と室外機との間には信号線等の電気配線が接続され、所望の空調制御を行うことができるようになっている。
【０００３】
室内機と室外機とを配管接続する冷媒配管は、室内側の室内機から室外側の室外機に設けられた配管接続口に接続される。一方、室内機と室外機とを電気的に接続する電気配線は、室内機から室外側の室外機内部に引き込まれ、中継端子板に接続される。
【０００４】
室内機と室外機とが一対一に対応する、いわゆるシングルセパレートエアコンでは、一対の冷媒配管および配線が室内機から室外機に導かれて接続されるため、接続スペースとして十分余裕がある。一方、一つの室外機に複数の室内機を接続する、いわゆるマルチエアコンでは、複数組の冷媒配管と配線とが必要となるため、その接続スペースに余裕がない。
【０００５】
特許文献１は、室外機の側壁に配管接続口ユニットと所定の取付アングルとを設け、配管接続口ユニットを取付アングルに配列することで、マルチタイプの室外機を、シングルセパレートタイプの室外機と同程度の大きさにする技術が開示されている。
【０００６】
特許文献２には、室外機の側面に設けた機器収容室に、複数の膨張弁ユニットを配列し、また、電気配線は、室外機の前面上方に配置された端子板に接続する構成が開示されている。この構成によると、マルチエアコンとシングルセパレートエアコンとの室外機の本体外装を製造するための金型を共用化できることが開示されている。
【先行技術文献】
【特許文献】
【０００７】
【特許文献１】特開平１１−２３０５８１号公報
【特許文献２】特開２００７−４６７９３号公報
【発明の概要】
【発明が解決しようとする課題】
【０００８】
ところで、室外機を室内側から窓等の限られた空間を通して屋外の奥行きの狭いベランダに設置しなければならない場合がある。このような場合、室外機の高さが所定の高さに制限されるばかりか、屋外のベランダ側での作業上の問題から、室内機と室外機の配管接続および電気配線接続を室外機の一側側面に集めざるを得ない場合がある。
【０００９】
このような場合、特許文献１のマルチエアコンでは、室外機の側面に配管接続口ユニットを取付アングルにより配置した構成は開示されているが、電気配線との関係が開示されておらず、室外機の側面に端子板と配管接続口とを同時に設け、所望の接続作業を行える技術にはなっていない。
【００１０】
また、特許文献２のマルチエアコンでは、配管接続部と端子板とはそれぞれ別の箇所に配置された構成であるため、室外機の側面に端子板と配管接続口とを同時に設け、所望の接続作業を行える技術にはなっていない。
【００１１】
なお、取付アングルの配管接続口へ配管を接続する際にはモンキースパナが用いられるが、モンキースパナを回転してナットを締め付けるには、縦１列に並んだ配管接続口同士の間に十分な間隔（例えば５２ｍｍピッチ）を設ける必要がある。したがって、取付アングルに、十分な間隔をおいて複数の配管接続口を縦方向に設けると、取付アングルが縦方向に長くなってしまう。
【００１２】
そこで、取付アングルが長くならない方法として、取付アングルに配管接続口を短いピッチで設ける方法や、配管接続口を千鳥状に配列する方法が考えられる。しかし、短ピッチで設ければモンキースパナ等の工具でナットを締め付けることができないし、また、千鳥状に設ければ、奥側のナットの締め付けがしづらくなる。このように、作業性に問題が生じるため、複数の配管接続口間ピッチを狭めるには自ずから限界がある。
【００１３】
また、このような取付アングルの上方に端子板を設けた場合、端子板に接続される配線は、その外側が塩化ビニル等の絶縁材料で被覆されていて剛性があるため、折り曲げにくい。配線を無理に鋭角に折り曲げようとすると、切断したり、隣接する配線同士が接触してショートしたりする可能性もある。したがって、配線を折り曲げて室外機の後方側（背面側）へ導くためには、端子板と取付アングルとの間に一定間隔をおかなければならない。そうすると、取付アングルと端子板との距離を詰めることができず、取付アングルを一定以上に長くすると、端子板を上方に移動させなければならない。結果として室外機自体の高さも高くなってしまう。
【００１４】
本発明は、上記課題を解決するためになされたもので、室外機を大型化せずとも、室内機との配管及び配線の接続作業を容易に行うことのできるマルチタイプの空気調和機の室外機の提供を目的とするものである。
【課題を解決するための手段】
【００１５】
上記目的を達成するため、本発明は、筐体内に設けられた電気部品と電気的に接続すると共に、室内機からの配線を接続する端子台と、室内機との間で冷媒を循環させる配管を接続する複数の配管接続口と、複数の配管接続口を支持する取付アングルとを備えた、複数の室内機と連結可能な空気調和機の室外機であって、端子台は、筐体の側面パネルに設けられた配線接続開口より露出するようにして筐体内に設けられ、取付アングルは、端子台よりも下方であって、筐体の側面パネルから側方に突出するようにして設けられ、複数の配管接続口を縦方向に並列して支持すると共に、配管接続口よりも内側（筐体の側面パネル側）に、配線を前後方向に挿通可能な配線挿通部が形成されたことを特徴とする空気調和機の室外機である。
【００１６】
端子台に接続された配線を配線挿通部に通すことによって、配線を鋭角に曲げることなく、十分なゆとりをもって外部へ導出することができる。このように、配線挿通部を通して配線処理を行うことにより、取付アングルと端子台との間の縦方向の距離をせばめることができる。室外機をコンパクト化できるので、複数の配管接続口を設けることにより取付アングルが縦方向に長くなっても、室外機を縦方向（高さ方向）に巨大化させないですむ。
【００１７】
また、取付アングルと端子台との間の縦方向の距離をせばめられる分、配管接続口を間隔をおいて縦一列に設けることができるので、配管接続口に配管を取り付ける際に、隣接するナットに邪魔されることなく、ナットの締め込み作業を行いやすい。
【００１８】
配線挿通部を配管接続口よりも内側に設けることにより、端子板に接続された配線を室外機の側面パネルに這わせて設けることができる。配線が室外機の配管に干渉するのを防止できる。
【００１９】
また、配線挿通部として、取付アングルの中間部に開口を設けて形成してもよいが、取付アングルの内側上端を切欠いて形成するのが好ましい。切欠の方が、配線挿通部に配線を通しやすく、作業を行いやすい。
【００２０】
また、配線挿通部の下端は、取付アングルの最上段の配管接続口よりも下方に位置させるのが好ましい。配線挿通部に、配線を通すのに十分なスペースを確保できる。
【００２１】
さらにまた、配線接続開口と取付アングルとの間に、配線を筐体の側面パネルに固定するための複数の配線固定具を備え、配線固定具は筐体の側面パネルに前後方向に並べて設けられ、最前の配線固定具と取付アングルとの間の距離をＡとし、配線固定具と配線挿通部の下端との間の距離をＢとすると、Ａ／２≦Ｂの関係式が成り立つように設定するのが好ましい。このように、配線固定具と配線挿通部の下端との間の距離を十分にとることにより、端子台に接続された配線を十分な余裕をもって曲げて、配線挿通部に通すことができる。
【発明の効果】
【００２２】
以上のとおり、本発明によると、端子台に接続された配線を、配線挿通部を通して外部へ導出させることによって配線処理ができるので、取付アングルと端子台との間の縦方向の距離をせばめることができる。室外機をコンパクト化できるので、複数の配管接続口を設けることにより取付アングルが縦方向に長くなっても、室外機が縦方向に巨大化しないですむ。また、取付アングルに、配管接続口を十分な間隔をおいて縦一列に設けることができるので、支持バルブに配管を取り付ける際に、ナット締め込み作業を容易に行うことができる。
【図面の簡単な説明】
【００２３】
【図１】本実施形態の空気調和機の室外機の背面図
【図２】本実施形態の空気調和機の室外機の側面図
【図３】本実施形態の空気調和機の室外機を接続部カバーを取り外して背面側からみた斜視図
【図４】図３の一部拡大側面図
【図５】Ｃ−Ｃ断面図
【図６】図４において、配線及び配管を取り外した状態を示す図
【図７】Ｄ−Ｄ断面図
【発明を実施するための形態】
【００２４】
以下、本発明の実施形態を図面に基づいて説明する。本実施形態の空気調和機の室外機１は、複数の室内機（図示略）と接続して一体の冷凍サイクルを構成する、マルチタイプの空気調和機の室外機１である。
【００２５】
室外機１は、図４に示すように、冷媒が流通する配管２、及び電源供給や通信等を行う配線３によって、屋内に配される室内機と接続される。室外機１のほぼ直方体型の筐体４内に、室外機側の圧縮機、四方弁、室外熱交換器１３および膨張弁等の電気部品（図示略）が内装され、また、室内機には室内熱交換器（図示略）が内装され、これらが順次配管２接続して冷凍サイクルが構成されている。配管２内を冷媒が流通して冷凍サイクルが運転され、冷房及び暖房運転を行う。筐体４の前面パネル４ａには排気口５が設けられる。筐体３の背面側には吸込口４ｃが設けられ、この吸込口４ｃに面して室外熱交換器１３が筐体４内に配置され、この室外熱交換器１３よりも排気口５側に室外送風機（図示略）が設けられる。一般に、室外機１は、背面側を建物の外壁に面して配置し、前面パネル４ａが室外側に向くように配置される。
【００２６】
室外機１には、一つの室内機につき２つの配管２が接続される。すなわち、冷房運転時において、室外機１から室内機側へ流れる冷媒通路用の配管２と、室内機から室外機１側へ流れる冷媒通路用の配管２の２つが接続される。なお、暖房運転時には冷媒の流れは反対となる。これらの配管２は、室外機１の筐体４の側面パネル４ｂに設けられた配管接続部６に接続される。
【００２７】
配管接続部６は、図３に示すように、室外機１の筐体４の側面パネル４ｂから側方方向に突出して設けられた取付アングル７と、取付アングル７に支持された配管接続口８ａを有する継手８とを備える。
【００２８】
一組の継手８において、その一方の継手８の前方側（筐体１の前面パネル４ａ側）には膨張弁９の一側が接続されている。膨張弁９は電動弁であって、モータ等の駆動部（図示略）を介して、その弁開度を調整可能とされている。この膨張弁９の他側は枝管を介して第１のヘッダー管（図示略）に接続され、第１のヘッダー管から室外機１内部の室外熱交換器１３に接続されている。また、一組の継手８のうち、他方の継手８の前方側には圧縮機（図示略）の吸込口側に至る枝管１１およびこれに集束する第２のヘッダー管１２が接続されている。このようにして、取付アングル７には、一組の継手８が、縦方向に所定の間隔で、例えば交互に４個、合計８個設けられている。
【００２９】
両ヘッダー管は、取付アングル７に沿って縦方向に配列されている。また、膨張弁、第１のヘッダー管および第２のヘッダー管１２は、接続する室内機の数量に応じてユニット化されたものが採用される。
【００３０】
取付アングル７は、縦方向に延びる長板状の金属板の中央部を縦方向の折曲線に沿ってＬ字形に折曲形成されたもので、その一片は室外機１の筐体４の側面パネル４ｂにネジ止めされ、側面パネル４ｂから突出する他片７ａには、その長手方向（縦方向）に沿って縦一列に所定間隔をおいて（例えば５２ｍｍピッチ）、継手８支持用の支持孔１３が形成されている。また、取付アングル７は、周縁が折り曲げられてリブ７ｂが形成されて、取付アングル７自体の強度が補強されている。
【００３１】
各支持孔１３には、複数の継手８が前後方向に貫通してナットにより取付アングル７に固定される。この継手８の後方側（背面側）の端部が配管接続口８ａとなり、室外機１内部からの配管２が接続される。
【００３２】
また、取付アングル７には、支持孔１３よりも内側（室外機１の側面パネル４ｂ側）に配線挿通部１４が設けられる。配線挿通部１４は、図５及び図７に示すように、取付アングル７のＬ字のコーナー部において、他片７ａの内側上端の角部分が切除されることにより形成される。この配線挿通部１４としての切欠が、配線３の通り道となる。
【００３３】
配線挿通部１４は、その下端が、取付アングル７の最上段の継手８の配管接続口８ａよりも下方に位置するように設定される。この構成により、配線３を通すのに十分なスペースを確保することができる。また、配線挿通部１４の幅は、配線３の最大数に合わせて調整される。なお、上記では、取付アングル７の上端に切欠を形成して配線挿通部１４としたが、取付アングル７の中間部分に開口を形成してその開口を配線挿通部１４としてもよい。
【００３４】
室外機１には、図４に示すように、室内機からの配線３が接続される端子台１５が設けられる。端子台１５は、取付アングル７の上方であって、筐体４の側面パネル４ｂに形成された配線接続開口１６から外方へ臨むようにして、筐体４内に設けられる。端子台１５は、リード線（図示略）を介して、筐体４内の電気部品の回路（図示略）と電気的に接続されている。
【００３５】
端子台１５には、前後方向に並ぶ複数の端子板１７が仕切り壁１８によって仕切られて設けられている。これら端子板１７は導電性を有する金属板からなり、各端子板１７に配線３を接続できるようになっている。
【００３６】
また、図４に示すように、配線接続開口１６と取付アングル７との間であって、室外機１の筐体４の側面パネル４ｂに、複数の配線固定具１９が前後方向に並列して設けられる。配線固定具１９は、配線３を端子台１５から外れないように固定するべく、金属板材を弓状にプレス成形したものである。配線固定具１９の両端が筐体４の側面パネル４ｂにネジ固定され、配線固定具１９と側面パネル４ｂとの間で配線３を挟持できる。
【００３７】
最も後方側の配線固定具１９は、取付アングル７よりも前方側に設けられる。また、図６に示すように、最も前方側に設けられた配線固定具１９の最前端と、取付アングル７との間の距離をＡとし、配線固定具１９の下端と配線挿通部１４の下端との間の距離をＢとすると、Ａ／２≦Ｂの関係式が成り立つように設定される。この構成によると、配線固定具１９の下端と配線挿通部１４の下端との間の間隔を十分にとることができるので、外側が塩化ビニル等の絶縁材料で被覆されて剛性のある配線３を、余裕を持って折り曲げて室外機１の後方側へ導くことができる。
【００３８】
図１及び図２に示すように、上記のような配管接続部６、端子台１５及び配線固定具１９を覆うように、筐体４の側面パネル４ｂに接続部カバー２０が設けられる。接続部カバー２０は、箱状に形成された樹脂成形品からなり、室外機１の筐体４の側面パネル４ｂにネジ止めされる。また、接続部カバー２０は、取付アングル７と対向する後方部分に開口２１が設けられており、この後方開口２１から取付アングル７の配管接続口８ａが現れる。室内機からの配管２は、この開口２１を介して配管接続口８ａに接続される。また、室内機からの配線３は、開口２１及び配線挿通部１４を介して端子台１５に接続される。
【００３９】
上記の構成において、室外機１に室内機からの配管２及び配線３を接続する方法を説明する。
【００４０】
まず、筐体４の側面パネル４ｂにネジ固定されている接続部カバー２０を取り外す。そして、取付アングル７に支持された配管接続口８ａに、室内機からの配管２をナット２２で固定し接続する。このとき、配管接続口８ａを支持する支持孔１３が、十分な間隔をあけて縦一列に設けられているので、モンキースパナ等の工具を使用してのナット２２を締め付けを行いやすい。
【００４１】
次に、配線３の絶縁被覆コードの先端を剥き出して、側面パネル４ｂの配線接続開口１６を介して、筐体４内に配された端子台１５の端子板１７に接続する。そして、配線３を配線固定具１９で囲み、ネジにて筐体４の側面パネル４ｂに押さえ込んで固定することによって、配線３が端子板１７から抜けないようする。
【００４２】
そして、配線３を側面パネル４ｂに沿わせながら束とし、この束を取付アングル７の配線挿通部１４である切欠に納めて、前方から後方へ通した後、再び接続部カバー２０を被せて、接続部カバー２０を筐体４の側面パネル４ａにネジ固定する。配線挿通部１４の上方は接続部カバー２０で規制される。
【００４３】
このように、配線３処理を取付アングル７に設けられた切欠１０を介して行うことができるので、取付アングル７と配線固定具１９との縦方向の間を詰めることができる。したがって、省スペース化できるので、全体として室外機１をコンパクトにでき、室外機１が縦方向（高さ方向）に大型化しないですむ。シングルセパレートエアコンの室外機の金型と共用することが可能となる。また、取付アングル７と端子台１５との間の距離をせばめられる分、配管接続口８ａを間隔をおいて縦一列に設けることができるので、配管接続口８ａに配管２を取り付ける際に、ナットの締め込み作業を容易に行うことができる。また、複数の配線３を束にして取付アングル７の切欠に挿通させることによって、整列して配線処理を行うことができる。なお、シングルセパレートエアコンの室外機として使用する場合は、上記取付アングル７や接続部カバー２０が不要となる。また、膨張弁９等は筐体４内に収容することができる。
【符号の説明】
【００４４】
１    室外機
２    配管
３    配線
４    筐体
４ｂ  側面パネル
６    配管接続部
７    取付アングル
８    継手
８ａ  配管接続口
１０  配線挿通部（切欠）
１１  端子台
１２  配線接続開口
１５  配線固定具
【図１】
2011117641.tif 000003
【図２】
2011117641.tif 000004
【図３】
2011117641.tif 000005
【図４】
2011117641.tif 000006
【図５】
2011117641.tif 000007
【図６】
2011117641.tif 000008
【図７】
2011117641.tif 000009